(57)【要約】【課題】製造工程が簡便で、かつ、鯨体に命中したときには、銛先が進入するまでの一定時間、吸水材のある空隙部へ鯨の体液や血液及び海水の浸入が抑制されることで、導爆線へ確実に伝爆でき、一方、不命中時には、吸水材が十分膨潤できることによって導爆線への伝爆が妨げられ、作業者が安全に回収することができる衝撃波利用捕鯨用銛先を提供。【解決手段】導爆線が充填され、該導爆線を起爆する雷管の底部と、これに対向する導爆線の先端との間に空隙部を設け、該空隙部に吸水材を介在させた衝撃波利用捕鯨用銛先において、導爆線の一端を導入したパイプ先端に空隙部を有し、該空隙部に吸水材が充填され、該パイプ先端が耐水材によって閉塞され、該耐水材に通水用の穴が穿孔されたことを特徴とする衝撃波利用捕鯨用銛先。【選択図】図１
2007333333.tif 000002
【特許請求の範囲】
【請求項１】
導爆線が充填され、該導爆線を起爆する雷管の底部と、これに対向する導爆線の先端との間に空隙部を設け、該空隙部に吸水材を介在させた衝撃波利用捕鯨用銛先において、導爆線の一端を導入したパイプ先端に空隙部を有し、該空隙部に吸水材が充填され、該パイプ先端が耐水材によって閉塞され、該耐水材に通水用の穴が穿孔されたことを特徴とする衝撃波利用捕鯨用銛先。
【請求項２】
前記耐水材が、テープ類又はキャップ類であることを特徴とする請求項１に記載の衝撃波利用捕鯨用銛先。
【請求項３】
前記耐水材に穿孔された穴の直径が０．００１〜２ｍｍであることを特徴とする請求項１又は請求項２に記載の衝撃波利用捕鯨用銛先。
【請求項４】
前記吸水材が、シート状の吸水材であることを特徴とした請求項１〜３のいずれか一項に記載の衝撃波利用捕鯨用銛先。
【発明の詳細な説明】
【技術分野】
【０００１】
本発明は、鯨体命中時に起爆し、不命中時の場合には安全に回収できる衝撃波利用捕鯨用銛先に関する。
【背景技術】
【０００２】
導爆線の衝撃波利用捕鯨用銛先には、通常、さく薬としてペンスリット等の高性能爆薬を心薬とする高爆速の導爆線を充填したものが知られている。（例えば、特許文献１参照）
【０００３】
衝撃波利用捕鯨用銛先においては、不命中時にこの銛先を海中より回収する際、雷管の不慮の爆発によって導爆線に伝爆するという危険性を有する。
【０００４】
特許文献２では、導爆線を充填した捕鯨用銛先において、該導爆線を起爆する雷管の底部と、これに対向する導爆線の先端との間に空隙部を設け、かつその空隙部に海水を吸収して膨潤する吸水性樹脂を介在させたものが開示されている。そのような構成にすることで、鯨不命中の銛先の雷管が不慮に爆発しても、雷管の起爆力は海水によって膨潤した吸水性樹脂によって弱められ、導爆線には伝爆せず不爆となり、安全に回収できるようになった。
【０００５】
従来、衝撃波利用捕鯨用銛先において空隙部に吸水性樹脂を介在させる際には、導爆線導入パイプ内の空隙部に、（イ）所定量の粉末状吸水性樹脂を不織布で包んだものを充填し金網で蓋をする、（ロ）粉末状吸水性樹脂を充填し不織布で蓋をする、等の手段によって製造していた。
【０００６】
しかし、（イ）又は（ロ）の方法では、粉末状吸水性樹脂の計量工程や、不織布での梱包工程を必要とし、工程が煩雑であり、作業効率が悪いという問題があった。また、そのようにして製造した衝撃波利用捕鯨用銛先においては、吸水性樹脂への浸水が速く、体長の大きな鯨体の内部に銛先を使用した場合、海水ではなく、鯨の体液によって、吸水性樹脂が膨潤し、雷管が起爆しても導爆線に伝爆しないという不具合が生じる場合があった。
【０００７】
【特許文献１】特開昭５７−２１７９７号公報
【特許文献２】特開昭５９−２１９９８号公報
【発明の開示】
【発明が解決しようとする課題】
【０００８】
本発明は、上記した課題に鑑みなされたものであり、製造工程が簡便で、かつ、鯨体に命中したときには、銛先が進入するまでの一定時間、吸水材のある空隙部へ鯨の体液や血液及び海水の浸入が抑制されることで、導爆線へ確実に伝爆でき、一方、不命中時には、吸水材が十分膨潤できることによって導爆線への伝爆が妨げられ、作業者が安全に回収することができる衝撃波利用捕鯨用銛先を提供することを課題とする。
【課題を解決するための手段】
【０００９】
本発明は以下の（１）〜（４）に示すものである。
【００１０】
（１）導爆線が充填され、該導爆線を起爆する雷管の底部と、これに対向する導爆線の先端との間に空隙部を設け、該空隙部に吸水材を介在させた衝撃波利用捕鯨用銛先において、導爆線の一端を導入したパイプ先端に空隙部を有し、該空隙部に吸水材が充填され、該パイプ先端が耐水材によって閉塞され、該耐水材に通水用の穴が穿孔されたことを特徴とする衝撃波利用捕鯨用銛先。
【００１１】
（２）前記耐水材が、テープ類又はキャップ類であることを特徴とする（１）に記載の衝撃波利用捕鯨用銛先。
【００１２】
（３）前記耐水材に穿孔された穴の直径が０．００１〜２ｍｍであることを特徴とする（１）又は（２）に記載の衝撃波利用捕鯨用銛先。
【００１３】
（４）前記吸水材が、シート状の吸水材であることを特徴とした（１）〜（３）のいずれか一つに記載の衝撃波利用捕鯨用銛先。
【発明の効果】
【００１４】
導爆線の一端をパイプに導入し、先端に空隙部を設け、次いで該空隙部に吸水材を充填した後、該パイプ先端を耐水材で閉塞し、該耐水材に穿孔することによって得られる衝撃波利用捕鯨用銛先は鯨命中時、鯨の体内に銛先が進入する０．０１〜５秒間は、空隙部に鯨の体液や血液又は海水が浸入しても、その浸入量が抑制され、吸水材が空隙部内で膨潤しない。したがって雷管が爆発した場合、確実に導爆線に伝爆する。また鯨不命中時には、十分海水が空隙部に浸入し、吸水材が空隙部内で十分に膨潤するため、万一雷管が暴発した場合でも、導爆線に伝爆せず、安全に回収することができる。
【００１５】
また、テープ類もしくはキャップ類でパイプ先端を閉塞することによって、簡便な工程で製造することが可能となり、充填する吸水材にシート形状の吸水材を使用することで、輸送時、製造時等に空隙部から吸水材がこぼれることなく、また、充填作業の作業効率が向上できる。
【発明を実施するための最良の形態】
【００１６】
以下、本発明を図面に基づいて説明する。
【００１７】
図１は本発明の衝撃波利用捕鯨用銛先を銛頭部にネジ込み装着した縦断面図である。先端に飛しょう状態のバランスを調節する銛先前蓋１を有する鋼製外筒２の内部には、コイル状に巻かれた導爆線３が収納されている。この導爆線３の一端は、コイルの中心軸に沿って設けられた導爆線導入パイプ４に挿入され、その導爆線先端部５は空隙部６を介して雷管７の雷管底部８と相対している。この空隙部６には、吸水材１０が介在され、導爆線導入パイプ４の先端は耐水材９によって閉塞されている。銛先は銛頭部１１にネジ１２によって固定されている。信管部１３は雷管７と、摩子棒１４、摩子薬１５よりなり、命中時に引き抜かれる摩子棒１４は摩子薬１５中を貫通しており、また、摩子薬１５の端面は雷管７と同一軸上で相対している。
【００１８】
この衝撃波利用捕鯨用銛先を装着した銛が鯨体に発射され命中すると同時にワイヤーにより摩子棒１４が引っ張られ、その摩擦により摩子薬１５が発火し、雷管７がその火を受けて爆発し、空隙部６を介して相対する導爆線３を起爆させる。導爆線３の爆発により、鋼製外筒は鯨体内において破壊されるが、高爆速（６０００〜７０００ｍ／ｓ）の導爆線により発せられる衝撃波の作用によって、鯨を即死せしめることができる。不命中時に海水に没した場合は、鋼製外筒２に穿設した海水流孔１６を通って海水が銛先中に流入する。一般に銛は高速度で打出されるために、飛しょう中に銛先内部は真空状態となるため、海水が没入すると海水が速やかに浸入し、空隙部６にまで到達する。
【００１９】
本発明は、上記した衝撃波利用捕鯨用銛先に係るものであり、導爆線が充填され、該導爆線を起爆する雷管の底部と、これに対向する導爆線の先端との間に空隙部を設け、該空隙部に吸水材を介在させた衝撃波利用捕鯨用銛先において、導爆線の一端を導入したパイプ先端に空隙部を有し、該空隙部に吸水材が充填され、該パイプ先端は耐水材で閉塞され、該耐水材に通水用の穴が穿孔されたことを特徴とした衝撃波利用捕鯨用銛先である。
【００２０】
パイプ先端を耐水材によって閉塞することにより、鯨の体液及び血液、海水の浸入を抑制できる。耐水材は、製造作業上容易に取り付けることができるテープ類又はキャップ類が好ましい。テープ類もしくはキャップ類９は穴を開けない状態で空隙部６に鯨の体液及び血液、海水が浸入しない材質のものであれば特に制限されないが、市販の粘着テープ類からなるテープ類もしくはキャップ類が好ましい。
【００２１】
前記耐水材には少なくとも１箇所以上の通水用の穴を穿孔される。穴の形状は特に制限がない。穿孔される穴の直径は、吸水材が膨潤する速度に影響するため適切な大きさにすることが好ましい。すなわち、穴が小さすぎる場合、吸水材が膨潤する速度が遅くなり、不命中で長時間海中に没した場合でも、吸水材が膨潤せず、雷管から導爆線に伝爆する可能性が生じる。また、穴が大きすぎる場合、逆に吸水材が膨潤する速度が速くなり、鯨に命中した場合でも、摩子薬が発火するまでに鯨の体液や血液によって吸水材が膨潤し、雷管から導爆線に伝爆しない可能性が生じる。鯨の体内に銛先が浸入し、摩子薬が発火するまでの時間は０．０１〜５秒である。従って、０．０１〜５秒の間には、吸水材を膨潤させず、５秒以上経過した場合には吸水材が膨潤するよう、穿孔する穴の直径を０．００１ｍｍから２ｍｍとすることが好ましい。より好ましい直径は０．０１ｍｍから０．５ｍｍである。
【００２２】
本発明に用いる吸水材としては吸水性樹脂を含有したものを好適に用いることができる。粉末状、シート状の形状のものが使用でき、製造時におけるハンドリングの面からシート状の吸水材が好ましい。そのような吸収材としては以下のようなものが挙げられる。東洋紡績株式会社製ＮＰＫ−６０ＳＢ、ＳＤ−１００、帝人ファイバー株式会社製ＴＲ−ＢＡＫ−００２、カネボウ合繊株式会社製ＫＫ０１２０Ｄ−ＳＢ、ＫＵ０１１０Ｄ-ＸＳＳ
【００２３】
衝撃波利用捕鯨用銛先において、空隙部６の長さ、すなわち雷管底部８と導爆線先端部５との間隔は５ｍｍないし２５ｍｍで、好ましくは１０ｍｍないし１５ｍｍであり、２５ｍｍより大のときは、鯨命中時に雷管７が起爆しても導爆線３が伝爆せずに、また５ｍｍ以下の場合には鯨不命中時において、鯨の体液及び血液、海水浸水時にも雷管７が起爆すれば導爆線３が伝爆し、安全性が低下するおそれがある。従って、本発明に用いる吸水材はそのような空隙部に介在できるものがよい。前述のとおりシート状のものを用いた場合、巻回、折りたたんだりして空隙部に介在させることができ、計量、充填の煩雑さがなく好ましい。
【実施例】
【００２４】
以下、本発明の実施例を図１に即して説明する。本発明は、本実施例によって何ら制限されるものではない。
【００２５】
シート状の吸水材１０（商品名ＮＰＫ−６０ＳＢ、東洋紡績株式会社製、縦１．０ｃｍ×横２．０×厚さ０．３ｍｍ）を導爆線導入パイプ内の空隙部６に丸めて充填し、導爆線導入パイプ先端に、直径それぞれ０．０１、０．０５、０．１、０．５ｍｍの穴をあけた粘着テープ（登録商標セロテープ、ニチバン株式会社製）を貼り、衝撃波利用捕鯨用銛先をそれぞれ完成させた。
【００２６】
鯨命中後を想定し、海水に浸さなかったサンプル及び０．１秒、０．５秒、１秒、２秒、５秒間海水に浸したサンプルの起爆試験を行った結果、空隙部６への海水の浸入量が抑制され、吸水材１０が空隙部６内で膨潤せず、雷管７が起爆すると、導爆線３は全て伝爆した。また鯨不命中時を想定し、１分及び５分間海水に浸した後、起爆試験を行った結果、十分に空隙部６に海水が浸入しており、吸水材１０が空隙部６内で十分膨潤するため、雷管７が起爆しても、導爆線３には全て伝爆しなかった。
【図面の簡単な説明】
【００２７】
【図１】本発明の衝撃波利用捕鯨用銛先を銛頭部にネジ込み装着した縦断面図
【符号の説明】
【００２８】
１    銛先前蓋
２    鋼製外筒
３    導爆線
４    導爆線導入パイプ
５    導爆線先端部
６    空隙部
７    雷管
８    雷管底部
９    耐水材
１０  吸水材
１１  銛頭部
１２  ネジ
１３  信管部
１４  摩子棒
１５  摩子薬
１６  海水流入孔
【図１】
2007333333.tif 000003